(57)【特許請求の範囲】
【請求項１】
筒内噴射用インジェクタと吸気通路噴射用インジェクタとを備え、燃料としてアルコールとガソリンとをそれぞれ単独でまたは混合して使用可能な内燃機関の燃料噴射制御装置において、
前記燃料のアルコール濃度を検出するアルコール濃度検出手段と、
前記内燃機関の運転状況に基づいて前記燃料がガソリン１００％における基本噴射量および噴射割合を算出し、前記基本噴射量および前記噴射割合から筒内要求噴射量または吸気通路要求噴射量を算出し、前記アルコール濃度検出手段による検出値に基づいて算出された要求噴射量から前記基本噴射量を引いた噴射量を前記筒内要求噴射量に加える要求噴射量算出手段と、
前記アルコール濃度検出手段による検出値に基づいて筒内で噴射可能な最大噴射量を算出する最大噴射量算出手段と、
前記要求噴射量算出手段によって算出された前記筒内要求噴射量と前記最大噴射量算出手段によって算出された前記最大噴射量とを比較する噴射量比較判定手段と、
を備え、
前記噴射量比較判定手段によって前記筒内要求噴射量が前記最大噴射量を超えていると判定された場合には、当該最大噴射量を前記筒内噴射用インジェクタによって噴射するとともに、当該最大噴射量を超えた分および前記吸気通路要求噴射量を前記吸気通路噴射用インジェクタによって噴射し、
前記噴射量比較判定手段によって前記筒内要求噴射量が前記最大噴射量を超えていないと判定された場合には、当該筒内要求噴射量の全量を前記筒内噴射用インジェクタによって噴射することを特徴とする内燃機関の燃料噴射制御装置。
【発明の詳細な説明】
【技術分野】
【０００１】
この発明は、デュアル噴射型の内燃機関の燃料噴射制御装置に関し、更に詳しくは、噴き分け等のマップ数を大幅に低減し、適用可能な運転領域（アルコール高濃度時かつ高負荷運転時）を容易に拡大できる汎用性の高い内燃機関の燃料噴射制御装置に関する。
【背景技術】
【０００２】
筒内に燃料を直接噴射する筒内噴射用インジェクタと、吸気通路または吸気ポート内に燃料を噴射する吸気通路噴射用インジェクタとを備えたいわゆるデュアル噴射型の内燃機関（以下、エンジンと称する。）が知られている（たとえば、特許文献１参照）。
【０００３】
この種のエンジンでは、運転状態に応じてインジェクタを切り替えて使用することができ、たとえば、低負荷運転領域での成層燃焼と高負荷運転領域での均質燃焼を実現させたり、１噴射行程における全燃料噴射量をそれぞれのインジェクタで分担する噴き分けを行ったりして、その時々の運転状態に適した好ましい特性を得るようにしている。
【０００４】
一方、近年、ガソリン燃料に加えて、代替燃料としてのアルコールを同時に使用可能なシステムが実用化されている。このシステムを搭載した自動車等の車両（ＦＦＶ； Ｆｌｅｘｉｂｌｅ  Ｆｕｅｌ  Ｖｅｈｉｃｌｅ）は、ガソリンはもちろんのこと、アルコールとガソリンとの混合燃料、またはアルコールのみで走行できるように構成されている。
【０００５】
このＦＦＶで使用する燃料のアルコール濃度（含有率）は、燃料補給の際のユーザー事情等により、０％（ガソリンのみ）から１００％（アルコールのみ）の間で変化する。一般に、アルコール燃料は、ガソリン燃料と比較して、低温で気化しにくい、蒸気圧が低い、気化潜熱が高い、引火点が高い等の特性を有している。
【０００６】
そして、上述のようなデュアル噴射型のエンジンでアルコール混合ガソリンを使用する場合において、アルコール濃度に応じて筒内と吸気通路内での噴射割合（噴き分け）を補正する制御技術が提案されている（たとえば、特許文献２参照）。
【０００７】
【特許文献１】特開平３−１８５２４２号公報
【特許文献２】特開平３−４７４３３号公報
【発明の開示】
【発明が解決しようとする課題】
【０００８】
しかしながら、アルコール濃度により噴き分け割合を補正する特許文献２に係る従来技術にあっては、適用可能な運転領域（負荷領域）が限定的になってしまう、という課題があった。
【０００９】
また、全運転領域に適応させようとすると、上記噴き分けマップが多数必要になり制御が複雑になるという課題があった。
【００１０】
この発明は、上記に鑑みてなされたものであって、噴き分け等のマップ数を大幅に低減し、適用可能な運転領域（アルコール高濃度時かつ高負荷運転時）を容易に拡大できる汎用性の高い内燃機関の燃料噴射制御装置を提供することを目的とする。
【課題を解決するための手段】
【００１１】
上述した課題を解決し、目的を達成するために、この発明の請求項に係る内燃機関の燃料噴射制御装置は、筒内噴射用インジェクタと吸気通路噴射用インジェクタとを備え、燃料としてアルコールとガソリンとをそれぞれ単独でまたは混合して使用可能な内燃機関の燃料噴射制御装置において、前記燃料のアルコール濃度を検出するアルコール濃度検出手段と、前記内燃機関の運転状況に基づいて前記燃料がガソリン１００％における基本噴射量および噴射割合を算出し、前記基本噴射量および前記噴射割合から筒内要求噴射量または吸気通路要求噴射量を算出し、前記アルコール濃度検出手段による検出値に基づいて算出された要求噴射量から前記基本噴射量を引いた噴射量を前記筒内要求噴射量に加える要求噴射量算出手段と、前記アルコール濃度検出手段による検出値に基づいて筒内で噴射可能な最大噴射量を算出する最大噴射量算出手段と、前記要求噴射量算出手段によって算出された前記筒内要求噴射量と前記最大噴射量算出手段によって算出された前記最大噴射量とを比較する噴射量比較判定手段と、を備え、前記噴射量比較判定手段によって前記筒内要求噴射量が前記最大噴射量を超えていると判定された場合には、当該最大噴射量を前記筒内噴射用インジェクタによって噴射するとともに、当該最大噴射量を超えた分および前記吸気通路要求噴射量を前記吸気通路噴射用インジェクタによって噴射し、前記噴射量比較判定手段によって前記筒内要求噴射量が前記最大噴射量を超えていないと判定された場合には、当該筒内要求噴射量の全量を前記筒内噴射用インジェクタによって噴射することを特徴とするものである。
【発明の効果】
【００１２】
この発明に係る内燃機関の燃料噴射制御装置によれば、アルコール濃度が高くなるほど筒内噴射用インジェクタによる噴射割合（噴き分け率）を簡易に増やすことができるので、アルコール濃度が高くかつ高負荷運転時であっても、気化特性の改善や筒内噴射用インジェクタのデポジット付着改善、気化潜熱による体積効率向上による性能向上等を実現することができる。また、上記最大噴射量を規定するマップは、内燃機関の仕様毎に異なるものを準備する必要があるが、制御自体は汎用性が高い。そして、このマップを備えれば、基本的に全運転領域に適用可能である。したがって、噴き分け等のマップ数を大幅に低減し、適用可能な運転領域（アルコール高濃度時かつ高負荷運転時）を容易に拡大できる汎用性の高い内燃機関の燃料噴射制御装置を提供することができる。
【発明を実施するための最良の形態】
【００１３】
以下に、この発明に係る内燃機関の燃料噴射制御装置の実施例を図面に基づいて詳細に説明する。なお、この実施例によりこの発明が限定されるものではない。
【実施例１】
【００１４】
図１は、この発明の実施例１に係る内燃機関の燃料噴射制御装置を示すシステム構成図である。図１に示すように、エンジン１は、ＦＦＶ用デュアル噴射型内燃機関である。なお、本実施例１では４気筒のものを示したが、気筒数に特に制限はない。これら気筒毎に筒内噴射用インジェクタ１１とポート噴射用インジェクタ（吸気通路噴射用インジェクタ）６とが設けられている。
【００１５】
エンジン１の各気筒の燃焼室には、エアクリーナ２から電子スロットル弁３の制御を受けて、サージタンク４および吸気通路５を介して空気が吸入される。なお、この電子スロットル弁３は、必ずしも電子制御可能なものでなくてもよい。
【００１６】
吸気通路５は、エンジン１のシリンダヘッドに気筒毎に形成された吸気ポートと、これら吸気ポートに連通してシリンダヘッドに取り付けられる吸気マニホールドとを含んでいる。そして、吸気通路５に燃料を噴射するように、電磁式のポート噴射用インジェクタ６が気筒毎に設けられている。
【００１７】
ポート噴射用インジェクタ６は、電子制御ユニット（以下、ＥＣＵと称す）３０から出力されるオン信号により開弁して燃料を噴射し、ＥＣＵ３０から出力されるオフ信号により閉弁して燃料噴射を停止する。噴射燃料は、空気と混合して筒内燃焼室に比較的均質な混合気を形成する。
【００１８】
また、筒内燃焼室に直接燃料を噴射するように、電磁式の筒内噴射用インジェクタ１１が気筒毎に設けられている。この筒内噴射用インジェクタ１１は、吸気行程および圧縮行程のいずれか一方または両方で燃料噴射を行うものである。
【００１９】
たとえば、圧縮行程噴射の場合、上昇してくるピストンの頂部の凹部（図示せず）に向けて燃料を噴射し、凹部内面に沿うタンブル状の流れを生成する過程で燃料と空気とを混合させ、点火プラグ７付近に比較的リッチな混合気層を形成するように構成されている。
【００２０】
この筒内噴射用インジェクタ１１もポート噴射用インジェクタ６と同様、ＥＣＵ３０から出力されるオン信号により開弁して燃料を噴射し、ＥＣＵ３０から出力されるオフ信号により閉弁して燃料噴射を停止する。
【００２１】
このような二つの噴射形態の一方または両方により、燃焼室に形成された混合気は、ＥＣＵ３０からの点火信号に基づき、点火プラグ７により点火されて燃焼する。エンジン１からの排気は排気通路８を通じて排出される。排気通路８には、エンジン１のシリンダヘッドに気筒毎に形成された排気ポートと、これら排気ポートに連通してシリンダヘッドに取り付けられる排気マニホールドとが含まれる。
【００２２】
この排気マニホールドの下流側には、排気浄化用の触媒９が配設され、触媒９の下流側には排気管が接続されている。また、排気通路８の触媒９の下流には、空燃比を検出する空燃比センサ８ａが設けられている。この空燃比センサ８ａの出力値に基づき、ＥＣＵ３０により空燃比がフィードバック制御される。なお、吸気ポートの出口および排気ポートの入口は、それぞれ図示しない吸気弁および排気弁により開閉される。
【００２３】
また、各ポート噴射用インジェクタ６および各筒内噴射用インジェクタ１１には、燃料タンク１０に貯留された燃料が燃料供給系１２を介して供給される。エンジン１は、燃料としてアルコールとガソリンとをそれぞれ単独でまたは混合して使用可能に構成されているので、燃料タンク１０には、所定のアルコール濃度を有する燃料が貯留される。この燃料は、ガソリン１００％の場合や、メタノール、エタノール等のアルコールがガソリンに混合された混合燃料の場合、更にはアルコール１００％の場合もある。
【００２４】
燃料供給系１２は、各筒内噴射用インジェクタ１１に共通に接続された筒内側デリバリパイプ１３と、各ポート噴射用インジェクタ６に共通に接続された吸気側デリバリパイプ１７と、これらデリバリパイプ１３，１７に燃料タンク１０内の燃料を供給するための燃料供給管１６と、燃料供給管１６に燃料タンク１０内の燃料を送り込むための低圧燃料ポンプ１４とを備えている。
【００２５】
燃料供給管１６は、途中で分岐されて各デリバリパイプ１３，１７に接続され、この分岐部と筒内側デリバリパイプ１３との間の位置に高圧燃料ポンプ１５が設けられている。筒内側デリバリパイプ１３には、その内部にある燃料の圧力を検出する燃料圧力センサ２３が設けられている。
【００２６】
高圧燃料ポンプ１５は、低圧燃料ポンプ１４により送られてきた燃料を筒内側デリバリパイプ１３に圧送し、筒内側デリバリパイプ１３内の燃料圧、すなわち、筒内噴射用インジェクタ１１の噴射圧を比較的高圧になるまで高める。
【００２７】
この高圧燃料ポンプ１５は制御弁を有し、その吐出流量がＥＣＵ３０により制御されることにより筒内噴射の噴射圧が制御されることになる。なお、筒内側デリバリパイプ１３内の燃料を燃料タンク１０に積極的に回収するために、燃料回収系１８も設けられている。この燃料回収系１８には、リリーフバルブ２０が設けられ、リリーフバルブ２０はＥＣＵ３０により開閉制御され、エンジン１の運転時には通常閉とされる。
【００２８】
燃料供給系１２には、燃料のアルコール濃度を検出するアルコール濃度検出手段をなすアルコール濃度センサ２１が設けられている。このアルコール濃度センサ２１は、燃料の誘電率に基づいてアルコール濃度を検出する静電容量式のものが用いられているが、燃料の屈折率に基づいてアルコール濃度を検出する光学式のものを使用してもよく、その検出原理には限定されない。
【００２９】
このアルコール濃度センサ２１は、燃料供給管１６の分岐部の上流側に設けられている。なお、空燃比センサ８ａからの出力信号に基づいた排気空燃比の学習によりアルコール濃度を推定してもよく、この推定手段をアルコール濃度検出手段としてもよい。その場合には、上記アルコール濃度センサ２１を設けなくてもよい。
【００３０】
ＥＣＵ３０は、ＣＰＵ、ＲＯＭ、ＲＡＭ、Ａ／Ｄ変換器および入出力インターフェイス等を含んで構成されるマイクロコンピュータを備え、各種センサ類からの入力信号を受け、これに基づいて所定の演算処理を行い、筒内噴射用インジェクタ１１、ポート噴射用インジェクタ６、点火プラグ７、電子スロットル弁３の駆動モータ１９、低圧燃料ポンプ１４、高圧燃料ポンプ１５、リリーフバルブ２０等を制御する。
【００３１】
燃料噴射制御装置としてのこのＥＣＵ３０は、エンジン１の運転状況に基づいて筒内要求噴射量またはポート噴射要求量（吸気通路要求噴射量）を算出する要求噴射量算出手段として機能し、またアルコール濃度に基づいて筒内で噴射可能な最大噴射量を算出する最大噴射量算出手段として機能し、更に要求噴射量と最大噴射量とを比較する噴射量比較判定手段としても機能するものである。
【００３２】
また、上記センサ類には、上述のアルコール濃度センサ２１および燃料圧力センサ２３が含まれる。また、これら以外に以下のものも含まれる。すなわち、エンジン１にはそのクランク位相を検出するためのクランクセンサ２４が設けられる。クランクセンサ２４は、所定のクランク位相間隔でパルス信号を出力する。ＥＣＵ３０は、このパルス信号に基づいてエンジン１の実際のクランク位相を検知するとともに、回転速度を演算する。
【００３３】
また、吸気温を検出する吸気温センサ２６、アクセルペダルの踏込み量（アクセル開度）を検出するアクセル開度センサ２７、スロットル弁３の開度を検出するスロットルポジションセンサ２８、エンジン１の冷却水温（以下、単に水温と称する）を検出する水温センサ２９、およびスロットル弁３下流の吸気通路５内の圧力を検出する吸気圧センサ２５が上記センサ類に含まれる。ここで、吸気圧センサ２５の出力値は、吸入空気量やエンジン負荷の算出等に利用されるが、このような算出を行うために、吸気圧センサ２５に代わって空気量センサを設けたり、両者を併用したりすることができる。
【００３４】
つぎに、以上の構成からなる内燃機関の燃料噴射制御装置に関し、ＥＣＵ３０により行なわれる制御を以下に説明する。先ず、ベースとなる制御について説明する。
【００３５】
通常運転時の燃料噴射制御に関し、ＥＣＵ３０のメモリ（ＲＯＭ）には、エンジン１の運転状態（ここでは、エンジンの回転速度と負荷）に関連付けられた基本の燃料噴射量（以下、基本噴射量という）および噴射割合（噴き分け）のマップが予め記憶されている。ＥＣＵ３０は、クランクセンサ２４の出力信号に基づき演算された実際の回転速度と、吸気圧センサ２５の出力信号に基づき演算された実際の負荷とから、上記マップを参照して基本噴射量およびその噴き分け率を算出する。
【００３６】
この場合、マップに入力されている基本噴射量は、たとえば、燃料がガソリン１００％（Ｅ０燃料）でエンジンが同一回転速度および負荷で定常運転されているときに排気空燃比が理論空燃比（＝約１４．９）となるような値である。
【００３７】
こうして各インジェクタの燃料噴射量等が決定されたら、これら燃料噴射量を各インジェクタの通電時間に換算する。そして、エンジン運転状態に応じて定まる目標噴射時期の到来と同時に、当該通電時間だけ、対応するインジェクタをオンする。これによりインジェクタが開弁され、最終噴射量相当の燃料が噴射される。
【００３８】
目標噴射時期は、上述の基本噴射量マップと同様の噴射時期マップを参照して上記と同様の要領で決定される。また目標点火時期も同様に決定され、この目標点火時期に一致させて点火プラグ７による点火が実行される。筒内側デリバリパイプ１３内の燃料圧、すなわち筒内噴射の噴射圧は、上述の基本噴射量マップと同様の噴射圧マップを参照してフィードバック制御される。
【００３９】
すなわち、検出されたエンジン運転状態（本実施例では回転速度と負荷）に対応する噴射圧の目標値がマップから算出され、燃料圧力センサ２３の検出値がこの目標値に一致するように高圧燃料ポンプ１５が制御される。電子スロットル弁３の開度制御は、基本的には、スロットルポジションセンサ２８の出力値がアクセル開度センサ２７の出力値に応じた値となるように駆動モータ１９を制御するフィードバック制御である。
【００４０】
なお、吸気側デリバリパイプ１７内の燃料圧は基本的に制御されず一定である。したがって、ポート噴射用インジェクタ６による噴射圧も基本的には一定である。この吸気通路噴射圧は筒内噴射圧よりも低い。
【００４１】
後述するように、本実施例においては、検出されたアルコール濃度に基づき要求噴射量を再計算している（図２のステップＳ１０，２０に示す）。これは、燃料のアルコール濃度が高いほど噴射量当たりの熱量が下がり、燃料噴射量を増加する必要があるからである。
【００４２】
ＥＣＵ３０には、燃料のアルコール濃度に応じて、エンジン回転数と、その回転数域において筒内直噴を行っても不具合が生じない最大噴射量（エンジン毎に異なる経験値）が限界値として設定されている。このような最大噴射量を設定したのは、つぎの理由による。
【００４３】
すなわち、一般に任意のアルコール濃度の混合ガソリンで走行できるＦＦＶでは、アルコール濃度が高いほどエネルギー密度が低くなるので燃料噴射量が多くなる。その結果、エンジン１の高負荷運転時には、噴射量が過多となり、また筒内直噴の場合、燃料の空気との混合時間が短いためミキシングが悪化し、ＨＣ（未燃燃料を含む）の増加や性能低下を招く虞がある。
【００４４】
しかし、その一方で、アルコール濃度が高くなるにしたがって気化特性の改善や筒内噴射用インジェクタ１１のデポジット付着改善、気化潜熱による体積効率向上による性能向上等が予測されるため、アルコール濃度が高くなるほど筒内噴射用インジェクタ１１による噴射割合（噴き分け率）を増やしたいという要請もある。
【００４５】
そこで、本実施例１では、Ｅ０燃料（ガソリン１００％）での噴射量および噴き分け率をベースに、アルコール濃度が高くなるにしたがって増量される噴射量をすべて筒内噴射用インジェクタ１１から噴射することを基本とする。
【００４６】
その時、筒内噴射用インジェクタ１１からの噴射量が上記ミキシングやエミッションの悪化等の不具合を起こさないレベルに収まるように、ガードを加える、すなわち限界噴射量である最大噴射量（図３参照）で噴射し、それ以上の要求噴射量がある場合には、ポート噴射用インジェクタ６によるポート噴射にて対応するようにしたものである。
【００４７】
詳しくは後述するが、ＥＣＵ３０は、図示しない別の制御ルーチンによって上記基本噴射量および噴射割合（噴き分け率）の算出を終えた後、図２に示す制御ルーチンにてアルコール濃度に基づいた噴射量の算出と噴き分けを行うものである。
【００４８】
以下、本実施例１に係る制御方法を図２に基づいて更に詳しく説明する。ここで、図２は、制御方法を示すフローチャートである。本制御は、ＥＣＵ３０により実行され、キースイッチ等のイグニッションスイッチがオンされたと同時に開始される。
【００４９】
先ず、アルコール濃度センサ２１により燃料のアルコール濃度が検出され、認識される（ステップＳ１０）。そして、この認識されたアルコール濃度に基づき、要求噴射量を、たとえば上記ガソリン燃料ベースの基本噴射量を補正等して再計算する（ステップＳ２０）。
【００５０】
この要求噴射量は、基本となる上記噴き分け率に基づいた筒内要求噴射量（筒内噴射用インジェクタ１１に要求される噴射量）とポート噴射要求量（ポート噴射用インジェクタ６に要求される噴射量）とを含んでいる。
【００５１】
つぎに、エンジン１の回転数をクランクセンサ２４の出力値より求めるとともに、図３に示すようなエンジン回転数毎の最大噴射量マップを読み込み、現エンジン回転数における最大噴射量を算出する（ステップＳ３０）。ここで、図３は、所定アルコール濃度におけるエンジン回転数と最大噴射量との関係例を示すマップである。
【００５２】
この最大噴射量とは、上述したように筒内噴射用インジェクタ１１からの噴射量が上記ミキシングやエミッションの悪化等の不具合を起こさないレベルに収まるように定められたガード値、すなわち限界噴射量である。
【００５３】
そしてつぎに、筒内要求噴射量が上記最大噴射量を超えているか否かを判断する（ステップＳ４０）。筒内要求噴射量が上記最大噴射量を超えているならば（ステップＳ４０肯定）、この最大噴射量を筒内噴射用インジェクタ１１から噴射する（ステップＳ５０）。
【００５４】
これにより、筒内噴射し得る最大の噴射量を確保できるため、アルコール濃度が高い場合であっても、気化特性の改善や筒内噴射用インジェクタ１１のデポジット付着改善、気化潜熱による体積効率向上による性能向上等が実現できる。
【００５５】
また、筒内要求噴射量が上記最大噴射量を超えているので、当該最大噴射量を超えている分（筒内要求噴射量と最大噴射量との差）については、上記ステップＳ２０で算出された元々のポート噴射要求量に加算されてポート噴射用インジェクタ６から噴射する（ステップＳ６０）。これにより、要求噴射量すべてを上記効果の達成を実現しつつ、両インジェクタ１１，６で噴き分けることができる。
【００５６】
一方、筒内要求噴射量が上記最大噴射量を超えていないならば（ステップＳ４０否定）、筒内要求噴射量の全量を筒内噴射用インジェクタ１１から噴射すればよい（ステップＳ７０）。
【００５７】
以上のように、この実施例１に係る内燃機関の燃料噴射制御装置によれば、アルコール濃度が高くなるほど筒内噴射用インジェクタ１１による噴射割合（噴き分け率）を簡易に増やすことができるので、アルコール濃度が高くかつ高負荷運転時であっても、気化特性の改善や筒内噴射用インジェクタ１１のデポジット付着改善、気化潜熱による体積効率向上による性能向上等を実現することができる。
【００５８】
また、上記最大噴射量を規定するマップは、エンジン１の仕様毎に異なるものを準備する必要があるが、本制御ルーチン自体は汎用性が高い。そして、このマップを備えれば、基本的に全運転領域に適用可能である。
【００５９】
また、噴射量の噴き分けマップ等もＥ０燃料（ガソリン１００％）の場合以外のものを備える必要がないので、上記ＥＣＵ３０にかかる負担も少なくて済む。
【００６０】
更に、他の効果としてつぎのような点を挙げることができる。すなわち、筒内直噴は噴射期間が限られるため、低濃度時から高濃度時まで全ての噴射量を賄えるダイナミックレンジを備えたインジェクタを確保することはかなり困難である。
【００６１】
そこで、上記最大噴射量として、筒内噴射用インジェクタの仕様から制約される限界噴射量を設定しておくことにより、上述のように筒内噴射できない分をポート噴射できるので、空燃比の設定上筒内噴射できないことによる不具合の発生を抑制することができる。
【実施例２】
【００６２】
図４は、この発明の実施例２に係る内燃機関の燃料噴射制御装置を示すシステム構成図、図５は、制御方法を示すフローチャートである。なお、以下の説明において、すでに説明した部材またはステップ番号と同一もしくは相当するものには、同一の符号を付して重複説明を省略または簡略化する。
【００６３】
本実施例２は、図４に示すように、燃料噴射形態が筒内直噴のみであり、吸入空気の気流制御手段を備えていない通常の直噴エンジンへの適用例である。なお、デュアル噴射型のエンジン１のポート噴射用インジェクタ６が故障した場合に本発明を適用してもよい。また、上記実施例１の構成では、電子スロットル弁３は任意であるとして説明したが、本実施例２では、電子スロットル弁３は必須である。
【００６４】
本実施例２に係るエンジン１において上述の燃料噴射量過多による不具合を抑制するためには、そのような領域で運転できないようにすることが有効である。したがって、本実施例２は、アクセル開度センサ２７等から算出される要求噴射量が、上記実施例１のマップ例で示した最大噴射量を上回った場合には、上記電子スロットル弁３を制御し、要求噴射量が当該最大噴射量以下の領域のみの運転となるように制限することを趣旨とする。
【００６５】
すなわち、本実施例２に係る制御方法は、図５に示すように、先ず、アルコール濃度センサ２１により燃料のアルコール濃度が検出され、認識されたら（ステップＳ１０）、この認識されたアルコール濃度に基づき、要求噴射量（筒内要求噴射量）を、たとえば上記ガソリン燃料ベースの基本噴射量を補正等して再計算する（ステップＳ２０）。
【００６６】
つぎに、エンジン１の回転数をクランクセンサ２４の出力値より求めるとともに、図３に示すようなエンジン回転数毎の最大噴射量マップを読み込み、現エンジン回転数における最大噴射量を算出する（ステップＳ３０）。
【００６７】
そしてつぎに、要求噴射量が上記最大噴射量を超えているか否かを判断する（ステップＳ４５）。要求噴射量が上記最大噴射量を超えているならば（ステップＳ４５肯定）、要求噴射量が上記最大噴射量に等しくなるように電子スロットル弁３を制御し（ステップＳ４７）、この最大噴射量を筒内噴射用インジェクタ１１から噴射する（ステップＳ５０）。
【００６８】
これにより、上記のような不具合がなく筒内噴射し得る最大噴射量にガード制御できるので、アルコール濃度が高い場合であっても、気化特性の改善や筒内噴射用インジェクタ１１のデポジット付着改善、気化潜熱による体積効率向上による性能向上等が実現できる。
【００６９】
一方、要求噴射量が上記最大噴射量を超えていないならば（ステップＳ４５否定）、要求噴射量の全量を筒内噴射用インジェクタ１１から噴射すればよい（ステップＳ７５）。
【００７０】
以上のように、この実施例２に係る内燃機関の燃料噴射制御装置によれば、装置構成の追加を伴わなくても、筒内噴射用インジェクタ１１による噴射量を不具合なき限界値まで簡易に増やすことができるので、アルコール濃度が高くかつ高負荷運転時であっても、気化特性の改善や筒内噴射用インジェクタ１１のデポジット付着改善、気化潜熱による体積効率向上による性能向上等を実現することができる。
【産業上の利用可能性】
【００７１】
以上のように、この発明に係る内燃機関の燃料噴射制御装置は、デュアル噴射型の内燃機関に有用であり、特に、噴き分け等のマップ数を大幅に低減し、適用可能な運転領域（アルコール高濃度時かつ高負荷運転時）を容易に拡大できる汎用性の高い燃料噴射制御手段に適している。
【図面の簡単な説明】
【００７２】
【図１】この発明の実施例１に係る内燃機関の燃料噴射制御装置を示すシステム構成図である。
【図２】制御方法を示すフローチャートである。
【図３】所定アルコール濃度におけるエンジン回転数と最大噴射量との関係例を示すマップである。
【図４】この発明の実施例２に係る内燃機関の燃料噴射制御装置を示すシステム構成図である。
【図５】制御方法を示すフローチャートである。
【符号の説明】
【００７３】
１ エンジン（内燃機関）
６ ポート噴射用インジェクタ（吸気通路噴射用インジェクタ）
１０ 燃料タンク
１１ 筒内噴射用インジェクタ
１３ 筒内側デリバリパイプ
１５ 高圧燃料ポンプ
１７ 吸気側デリバリパイプ
２１ アルコール濃度センサ（アルコール濃度検出手段）
２３ 燃料圧力センサ
２４ クランクセンサ
２５ 吸気圧センサ
２６ 吸気温センサ
２９ 水温センサ
３０ 電子制御ユニット（燃料噴射制御装置）
【図１】
0004918889.tif 000002
【図２】
0004918889.tif 000003
【図３】
0004918889.tif 000004
【図４】
0004918889.tif 000005
【図５】
0004918889.tif 000006